(57)【特許請求の範囲】
【請求項１】
光ディスクから光学的にピックアップした情報を再生する再生システムにおいて、
前記光ディスクから光学的にピックアップされた信号をサンプリングするスライスと、
前記スライスからの出力信号を受信し、チャンネルクロック信号を発生させるＰＬＬと、
前記スライスからの出力信号と前記チャンネルクロック信号とを受信し、前記チャンネルクロック信号に応答して前記スライスからの出力信号を出力するラッチ回路と、
前記チャンネルクロック信号、前記スライスからの出力信号及び前記ラッチ回路からの出力信号を受信して３Ｔを補正した信号を出力する３Ｔ補正回路と、
前記３Ｔ補正回路からの出力信号を復調する復調器と、を備え、
前記３Ｔ補正回路は、
前記チャンネルクロック信号に応答して、前記ラッチ回路からの出力信号を所定の保存装置に保存し、保存状態を出力し、拡張決定器からの出力信号に応答して保存されたデータを出力する拡張保存装置と、
前記拡張保存装置の前記保存状態を受信して前記保存状態の所定のパルスの周期を検出し、前記所定のパルスの前後にある直前パルスと直後パルスの周期をそれぞれ測定し、測定結果に基いて前記検出された所定のパルスの周期ＣＬ、前記直前パルスの周期ＰＬ、及び前記直後パルスの周期ＮＬを出力する幅測定器と、
前記チャンネルクロック信号と前記スライスからの出力信号との間の位相差を測定し、測定結果に基いて、前記所定のパルスをイネーブルさせる瞬間の前記チャンネルクロック信号と前記スライスからの出力信号との間の位相差ＬＰ、前記直後パルスをイネーブルさせる瞬間の前記チャンネルクロック信号と前記スライスからの出力信号との間の位相差ＴＰ、及び前記直前パルスをイネーブルさせる瞬間の前記チャンネルクロック信号と前記スライスからの出力信号との位相差ＰＰをそれぞれ出力する位相検出器と、
前記ＣＬ、ＰＬ、ＮＬ、ＬＰ、ＴＰ及びＰＰを受信し、補正の如何及び補正方向を前記ＣＬが２Ｔより小さいか否かによって決定する前記拡張決定器と、を備え、
前記拡張決定器は、
前記ＣＬが２Ｔより小さい場合には両方向拡張補正又は無補正のいずれかを選択し、
前記ＣＬが２Ｔと等しい場合には前記ＮＬ、ＰＬと３Ｔとの関係、及び前記ＬＰ、ＴＰ、ＰＰと所定の第１、第２位相差値に基いて無補正、順方向拡張補正又は逆方向拡張補正のいずれかを選択し、
前記ＣＬが２Ｔより小さい場合の前記両方向拡張補正又は前記無補正のいずれかの選択は、
前記ＣＬが１Ｔと等しいか否かにより、
前記ＣＬが１Ｔと等しくない場合には、前記無補正を選択し、
前記ＣＬが１Ｔと等しい場合には、前記ＰＬと前記ＮＬの両方が３Ｔ以下であれば前記無補正を、３Ｔより大きければ前記両方向補正を選択するよう動作することを特徴とする再生システム。
【請求項２】
前記拡張保存装置は、
複数個のシフトレジスターを備えることを特徴とする請求項１に記載の光ディスク信号の再生システム。
【請求項３】
光ディスクから光学的にピックアップされた信号をサンプリングするスライスからの出力信号と、前記スライスからの出力信号を受信するＰＬＬから出力されるチャンネルクロック信号と、前記スライスからの出力信号及び前記チャンネルクロック信号を受信するラッチ回路からの出力信号と、を用いて３Ｔ補正された信号を再生し、前記チャンネルクロック信号に同期して出力する光ディスク信号の再生方法において、
前記ラッチ回路からの出力信号の現在のパルスの周期ＣＬと、前記現在のパルスの前後にある直前パルスと直後パルスの周期ＰＬ、ＮＬと、前記現在のパルスをイネーブルさせる瞬間の前記スライスからの出力信号と前記チャンネルクロック信号との間の位相差ＬＰと、前記直後パルスをイネーブルさせる瞬間の前記スライスからの出力信号と前記チャンネルクロック信号との間の位相差ＴＰと、前記直前パルスをイネーブルさせる瞬間の前記スライスからの出力信号と前記チャンネルクロック信号との間の位相差ＰＰと、を検出する段階と、
前記ＣＬが２Ｔより小さいか否かを決定する段階と、
前記ＣＬが２Ｔより小さい場合には両方向拡張補正又は無補正のいずれかを選択する第１決定段階と、
前記ＣＬが２Ｔと等しい場合には前記ＮＬ、ＰＬと３Ｔとの関係、及び前記ＬＰ、ＴＰ、ＰＰと所定の第１、第２位相差値に基いて無補正、順方向拡張補正又は逆方向拡張補正のいずれかを選択する第２決定段階と、を含み、
前記第１決定段階は、
前記ＣＬが１Ｔと等しいか否かにより、
前記ＣＬが１Ｔと等しくない場合には、前記無補正を選択し、
前記ＣＬが１Ｔと等しい場合には、前記ＰＬと前記ＮＬの両方が３Ｔ以下であれば前記無補正を、３Ｔより大きければ前記両方向拡張補正を選択することを特徴とする再生方法。
【請求項４】
前記第２決定段階は、
前記ＮＬ及び前記ＰＬが両方とも３Ｔより小さいか同じであれば前記無補正に決定する段階と、
前記ＰＬが３Ｔより大きくて前記ＮＬが３Ｔより小さいか同じである場合には前記順方向拡張補正に決定する段階と、
前記ＰＬが３Ｔより小さいか同じであって前記ＮＬが３Ｔより大きい場合には前記逆方向拡張補正に決定する段階と、
前記ＰＬ及び前記ＮＬが両方とも３Ｔより大きい場合、前記ＬＰ及び前記ＴＰが全て前記所定の第１位相差値を有するか、または前記ＰＰが前記所定の第２位相差値を有する場合には前記順方向拡張補正に決定する段階と、
前記ＰＬ及び前記ＮＬが両方とも３Ｔより大きい場合、前記ＬＰ及び前記ＴＰが全て前記所定の第２位相差値を有するか、または前記ＰＰが前記所定の第１位相差値を有する場合には前記逆方向拡張補正に決定する段階と、を備えることを特徴とする請求項３に記載の再生方法。
【請求項５】
前記第１位相差値は、
前記スライス出力信号のエッジで前記ＰＬＬの出力信号が論理ハイ状態を示す値であり、
前記第２位相差値は、
前記スライス出力信号のエッジで前記ＰＬＬの出力信号が論理ロー状態を示す値であることを特徴とする請求項４に記載の光ディスク信号の再生方法。
【請求項６】
光ディスクから受信された信号をスライシングしてスライス出力信号を発生させる段階と、
ＰＬＬでチャンネルクロック信号及び前記スライス出力信号を受信する段階と、
ラッチ回路で前記スライス出力信号及び前記チャンネルクロック信号を利用してラッチ出力信号を出力する段階と、
３Ｔが補正された信号を生成させるために３Ｔ補正回路で前記スライス出力信号、前記チャンネルクロック信号、及び前記ラッチ出力信号を受信して３Ｔエラーを補正する段階と、
補正された出力信号を発生させるために前記３Ｔが補正された信号を復調する段階と、を備え、
前記３Ｔエラーを補正する段階は、
前記チャンネルクロック信号に応答して拡張保存装置で前記ラッチ出力信号を保存する段階と、
前記拡張保存装置から保存状態を出力する段階と、
所定の現在パルス、以前パルス及び以後パルスの３つのパルス期間の間に各パルスの長さＣＬ、ＰＬ、ＮＬを測定し、現在パルスの長さＣＬが少なくとも１Ｔ及び２Ｔであるかを決定する段階と、
前記チャンネルクロック信号と前記スライス出力信号との間の位相差を測定する段階と、
位相検出器を利用して位相を出力する段階と、を備え、
前記位相差を測定する段階は、
前記所定の現在パルスが活性化された時、前記スライス出力信号と前記チャンネルクロック信号との間の位相差ＬＰを出力する段階と、
前記以後パルスが活性化された時、前記スライス出力信号と前記チャンネルクロック信号との間の位相差ＴＰを出力する段階と、
前記以前パルスが活性化された時、前記スライス出力信号と前記チャンネルクロック信号との間の位相差ＰＰを出力する段階と、
前記ＣＬが２Ｔより小さく１Ｔより大きい場合には、無補正を選択し、
前記ＣＬが１Ｔと等しい場合には、前記ＰＬと前記ＮＬの両方が３Ｔ以下であれば前記無補正を、３Ｔより大きければ両方向拡張補正を選択し、
前記ＣＬが２Ｔと等しい場合には、前記ＮＬ、ＰＬと３Ｔとの関係、及び前記ＬＰ、ＴＰ、ＰＰと所定の第１、第２位相差値に基いて、前記無補正、順方向拡張補正又は逆方向拡張補正のいずれかを選択する段階とを備えることを特徴とする光ディスク信号の再生方法。
【請求項７】
チャンネルクロック信号に応答して所定の保存装置のラッチ回路から出力される信号を保存する拡張保存装置と、
前記拡張保存装置から提供される所定の現在パルス、前記現在パルスより先行する以前パルス及び現在パルスに後続する以後パルスの長さＣＬ、ＰＬ、ＮＬを決定する長さ測定装置と、
前記チャンネルクロック信号及びスライスから出力される信号の位相差を測定した結果の信号であるＬＰ、ＴＰ、及びＰＰを出力する位相検出器と、
前記現在パルス、前記以前パルス、前記以後パルス、前記ＬＰ、前記ＴＰ及び前記ＰＰの長さに関する情報を受信して３Ｔ補正の必要性及び信号の方向に対する補正の必要性を決定する拡張決定装置と、を備え、
前記拡張保存装置は、
前記長さ測定装置に保存状態を出力し、前記確定決定器から出力される信号に応答して前記長さ測定装置に保存されたデータを出力し、
前記長さ測定装置は、
前記拡張保存装置から前記保存状態に対する情報を受信して前記所定の現在パルスが１Ｔあるいは２Ｔの長さを有するかを検出し、現在パルス、以前パルス及び以後パルスの長さＣＬ、ＰＬ、ＮＬを決定するために以前パルス及び以後パルスの区間を測定し、
前記位相検出器は、
前記所定の現在パルスが活性化された時に前記チャンネルクロック信号及び前記スライスから出力される信号の位相差ＬＰを出力し、以後パルスが活性化された時に前記チャンネルクロック信号及び前記スライスから出力される信号の位相差ＴＰを出力し、以前パルスが活性化された時に前記チャンネルクロック信号及び前記スライスから出力される信号の位相差ＰＰを出力し、
前記拡張決定装置は、
前記ＣＬが２Ｔより小さく１Ｔより大きい場合には、無補正を選択し、前記ＣＬが１Ｔと等しい場合には、前記ＰＬと前記ＮＬの両方が３Ｔ以下であれば前記無補正を、３Ｔより大きければ両方向拡張補正を選択し、
前記ＣＬが２Ｔと等しい場合には、前記ＮＬ、ＰＬと３Ｔとの関係、及び前記ＬＰ、ＴＰ、ＰＰと所定の第１、第２位相差値に基いて、前記無補正、順方向拡張補正又は逆方向拡張補正のいずれかを選択することを特徴とする信号補正回路。
【請求項８】
前記拡張保存装置は、
複数個のシフトレジスターを備えることを特徴とする請求項７に記載の信号補正回路。
【請求項９】
前記信号補正回路は、
前記信号補正回路の出力信号を復調する復調器をさらに備え、
前記スライスは前記光ディスクから光ピックアップされた信号のサンプルを取り、前記ラッチ回路は前記スライスの出力信号及び前記チャンネルクロック信号を受信して前記チャンネルクロック信号に応答して前記スライスから出力される信号を出力することを特徴とする請求項７に記載の信号補正回路。
【発明の詳細な説明】
【技術分野】
【０００１】
本発明は光ディスクから光ピックアップされたＲＦ（Ｒａｄｉｏ Ｆｒｅｑｕｅｎｃｙ）高周波信号を再生する再生システム及び再生方法に係り、特に再生信号のエラーを補正する方法及びこれを実現する回路に関する。
【背景技術】
【０００２】
コンパクトディスク（Ｃｏｍｐａｃｔ Ｄｉｓｃ；以下、ＣＤ）には、８−１４変調（Ｅｉｇｈｔ ｂｉｔ−ｔｏ−Ｆｏｕｒｔｅｅｎ ｂｉｔ Ｍｏｄｕｌａｔｉｏｎ；以下、ＥＦＭ）、デジタル多機能ディスク（Ｄｉｇｉｔａｌ Ｖｅｒｓａｔｉｌｅ Ｄｉｓｃ；以下、ＤＶＤ）には８−１６変調（以下ＥＦＭ＋）したデジタルビットデータがそれぞれ保存され、ＥＦＭ信号は再生時の直流成分を除去してクロック復元を容易にするために同じ論理値が一定の個数以上連続しないようにフォーマットされる。
【０００３】
ＣＤの場合、情報を有しているピットが連続して整列され、そのピットの列（Ｔｒａｃｋ）が１．６μmの間隔（Ｔｒａｃｋ Ｐｉｔｃｈ）で円周方向に並んで配置される。ピットの長さ及びピットとピットとの間隔は、クロックパルスの幅を基準としてそれぞれ３Ｔから１１Ｔまで９段階に区分される。ここで“Ｔ”とはクロックパルス１個分の時間の長さを表わし、３Ｔ及び１１Ｔとはそれぞれ３個及び１１個のクロックパルスの長さを意味する。
【０００４】
光ディスクはその材質及び製造技術の限界のため、均一な平面を持つように製造するのは難かしい。また、光ピックアップ時に光ディスクの表面に照射される光ビームのスポットも、光ピックアップ器の機械的な不完全によって常に一定の大きさ及び形態を維持するのは困難である。このような理由で、光ピックアップによって光ディスクからピックアップされたＲＦ信号の幅が、規定の範囲を超過または未達してＥＦＭ信号にエラーを発生させることもある。
【０００５】
しかも、記録情報の量を増加させるために光ディスク上のピットは高密度化されなければならず、これにより隣接ピット間の干渉がＲＦ信号の雑音を増加させ、結局ＥＦＭデータのエラー発生率を増加させる要因となる。特に頻度数が最も高い３Ｔが最も大きい影響を受けることになるが、隣接ピットの干渉によって３Ｔの信号幅が小さくなって１Ｔや２Ｔと誤認されることもある。この場合ＥＦＭ復調が正しく行えず、復調されたデータにエラーが発生してしまう。
【０００６】
このようなエラーを補正するために、従来は３Ｔ未満の幅を持つＥＦＭ信号の正のエッジに対して位相エラーを測定し、その大小を比較して値の大きい側で１Ｔの流失が発生したと判断して補正していた。この場合、位相エラーを判断するためには光ピックアップされたＲＦ信号をＡＤＣ（Ａｎａｌｏｇ ｔｏ Ｄｉｇｉｔａｌ Ｃｏｎｖｅｒｔｅｒ）を利用してレベル値を位相エラーに換算するか、または、正常なクロック信号よりはるかに高い周波数の信号を利用してＲＦ信号を変調したＥＦＭ信号と正常なクロック信号との間の位相差を測定していた。
【０００７】
図１は、従来技術による光ディスクシステムの一部を示すブロック図である。
図１を参照すれば、従来の技術による光ディスクシステムは、光ピックアップされた信号ＲＦをサンプリングするスライス１１０、スライス１１０の出力信号ＥＦＭＩを受信してチャンネルクロックＰＬＣＫを発生させるクロック復元ＰＬＬ（Ｐｈａｓｅ Ｌｏｃｋｅｄ Ｌｏｏｐ）１２０、スライス１１０の出力信号ＥＦＭＩ及びＰＬＬ１２０のチャンネルクロックＰＬＣＫを受信してスライス１１０の出力信号ＥＦＭＩをチャンネルクロックＰＬＣＫに合せて出力するラッチ回路１３０、及びラッチ回路１３０の出力信号ＥＦＭＮＲＺＩを復調する復調器１４０を備える。
【０００８】
このような従来のシステムでは、エラーを補正するためにＡＤＣを追加するか、または正常なクロック信号より速い周波数の信号が要求される。しかし、ＡＤＣを追加するためには広い基板の面積が必要になるという問題があった。また、正常なクロック信号より速い周波数の信号が使われる場合に、ＩＣチップの外部から信号を加えたり、基板に信号発生器を設けたりすることは経済的に望ましくないだけでなく、システムが複雑になり、特に高倍速には適していないという短所があった。
【発明の開示】
【発明が解決しようとする課題】
【０００９】
本発明が解決しようとする技術的課題は、正常なクロック信号より周波数の高いクロックやＡＤＣを使用せず、スライスされた信号及び正常なクロック信号のみを使用して補正を行う光ディスク再生システムを提供するところにある。
本発明が解決しようとする他の技術的課題は、スライスされた信号及び正常なクロック信号のみを使用して補正を行う再生方法を提供するところにある。
【課題を解決するための手段】
【００１０】
前述の技術的課題を達成するために、光ディスクに含まれた情報を光ピックアップして再生する本発明による光ディスク再生システムは、スライス、ＰＬＬ、ラッチ回路、３Ｔ補正回路及び復調器を備える。
前記スライスは、前記光ディスクから光ピックアップされた信号をサンプリングする。前記ＰＬＬは、前記スライスの出力信号を受信してチャンネルクロックを発生させる。前記ラッチ回路は、前記スライスの出力信号及び前記チャンネルクロックを受信して前記スライスの出力信号を前記チャンネルクロックによって出力する。前記３Ｔ補正回路は、前記チャンネルクロック、前記スライスの出力信号及び前記ラッチ回路の出力信号を受信して３Ｔを補正した信号を出力する。前記復調器は、前記３Ｔ補正回路の出力信号を復調する。
【００１１】
前記３Ｔ補正回路は、拡張保存装置、幅測定器、位相検出器、及び拡張決定器を備える。
前記拡張保存装置は、前記ラッチ回路の出力信号を前記ＰＬＬの出力信号によって所定の保存装置に保存して前記保存装置の保存状態を出力し、保存されたデータを拡張決定器の出力信号によって出力する。
【００１２】
前記幅測定機は、前記拡張保存装置の保存状態を受信して所定の信号の周期（２Ｔ／１Ｔ）を検出し、前記検出された信号の前後信号の周期を測定し、その測定された結果によって前記検出された信号の周期であるＣＬ（Ｃｕｒｒｅｎｔ Ｌｅｎｇｔｈ）、前記検出された信号の直前信号の周期であるＰＬ（Ｐｒｅｖｉｏｕｓ Ｌｅｎｇｔｈ）、及び前記検出された信号の直後信号の周期であるＮＬ（Ｎｅｘｔ Ｌｅｎｇｔｈ）をそれぞれ出力する。
【００１３】
前記位相検出器は、前記ＰＬＬの出力信号と前記スライスの出力信号との間の位相差を測定し、測定された結果によって前記検出された信号をイネーブルさせる瞬間の前記ＰＬＬの出力信号と前記スライス出力信号との間の位相差であるＬＰ（Ｌｅａｄｉｎｇ Ｐｈａｓｅ）、前記検出された信号の直後の信号をイネーブルさせる瞬間の前記ＰＬＬの出力信号と前記スライス出力信号との間の位相差であるＴＰ（Ｔｒａｉｌ Ｐｈａｓｅ）、及び前記検出された信号の直前の信号をイネーブルさせる瞬間の前記ＰＬＬの出力信号と前記スライス出力信号との間の位相差であるＰＰ（Ｐｒｅｖｉｏｕｓ Ｐｈａｓｅ）をそれぞれ出力する。
前記拡張決定器は、前記ＣＬ、ＰＬ、ＮＬ、ＬＰ、ＴＰ及びＰＰを受信して補正如何及び補正方向を決定する。
前記拡張保存装置は、複数個のシフトレジスタとして構成されることが望ましい。
【００１４】
前記他の技術的課題を達成するための本発明による光ディスク情報再生方法は、光ディスクから光ピックアップした信号をサンプリングするスライスの出力信号、前記スライスの出力信号を受信してクロック信号を発生させるＰＬＬの出力信号、及び前記スライスの出力信号及び前記ＰＬＬの出力信号を受信して前記スライスの出力信号を前記ＰＬＬの出力信号によって出力するラッチ回路の出力信号、を利用して３Ｔエラーが補正された信号を再生する光ディスク再生方法において、前記ラッチ回路の所定の出力信号の周期ＣＬ、前記所定の出力信号の直前信号の周期ＰＬ、前記所定の出力信号の直後信号の周期ＮＬをそれぞれ検出し、前記ラッチ回路の所定の出力信号をイネーブルさせる瞬間の前記ＰＬＬの出力信号と前記スライス出力信号との間の位相差であるＬＰ、前記所定の出力信号の直後の信号をイネーブルさせる瞬間の前記ＰＬＬの出力信号と前記スライス出力信号との間の位相差であるＴＰ、及び前記所定の出力信号の直前の信号をイネーブルさせる瞬間の前記ＰＬＬの出力信号と前記スライス出力信号との間の位相差であるＰＰをそれぞれ検出する検出段階、前記検出段階で検出された信号ＣＬの周期が２Ｔより少ないかを判断する第１判断段階（３Ｔの場合に補正は必要でないでここでは３Ｔより少ないことを前提とする）、前記第１判断段階の判断の結果、検出された信号ＣＬの周期が２Ｔより少ないために両方向補正または無補正のうち一つを決定する第１決定段階、及び前記第１判断段階の判断の結果、検出された信号ＣＬの周期が２Ｔであるために無補正、順方向補正、または逆方向補正のうち一つを決定する第２決定段階、を備える。
【００１５】
前記第１決定段階は、前記検出された信号の周期ＣＬが１Ｔでない場合には補正しないことに決定し、前記検出された信号の周期ＣＬが１Ｔの場合には前記ＰＬ及び前記ＮＬが３Ｔより小さいか同じであれば補正しないことに決定し、両方とも３Ｔより大きい時には両方向補正を決定する第１Ｂ決定段階を備える。
【００１６】
前記第２決定段階は前記検出された信号の周期ＣＬが２Ｔの場合であるが、前記ＮＬ及び前記ＰＬが両方とも３Ｔより小さいか同じであれば補正しないことに決定する第２Ａ決定段階、前記ＰＬが３Ｔより大きくて前記ＮＬが３Ｔより小さいか同じである場合には順方向拡張を決定する第２Ｂ決定段階、前記ＰＬが３Ｔより小さいか同じであって前記ＮＬが３Ｔより大きい場合には逆方向拡張を決定する第２Ｃ決定段階、前記ＰＬ及び前記ＮＬが両方とも３Ｔより大きい場合、前記ＬＰ及び前記ＴＰが全て所定の第１位相差値を有するか、または、前記ＰＰが所定の第２位相差値を有する場合には順方向拡張を決定する第２Ｄ決定段階、及び前記ＰＬ及び前記ＮＬが両方とも３Ｔより大きい場合、前記ＬＰ及び前記ＴＰが全て前記所定の第２位相差値を有するか、または、前記ＰＰが前記所定の第１位相差値を有する場合には逆方向拡張を決定する第２Ｅ決定段階を備える。
【００１７】
前記スライス出力信号のエッジで前記ＰＬＬの出力信号が論理ローから論理ハイに変わることが望ましい状態であると見なし、第１位相差値及び第２位相差値を定義する。前記第１位相差値は、前記スライス出力信号がＰＬＬ出力信号より位相が先行するものであり、前記スライス出力信号のエッジで前記ＰＬＬの出力信号が論理ハイ状態を示す値である。前記第２位相差値は、前記スライス出力信号がＰＬＬ出力信号より位相が後続するものであり、前記スライス出力信号のエッジで前記ＰＬＬの出力信号が論理ロー状態を示す値である。
【発明の効果】
【００１８】
本発明による光ディスク再生システム及び再生方法は、システムで共通に使用するチャンネルクロックより周波数が高いクロックやＡＤＣを使用せず、スライスされた信号ＥＦＭＩとチャンネルクロックＰＬＣＫのみを用いて補正を行うことにより、光ディスクシステムの再生に対する信頼度を向上させるだけでなく既存方法の問題点を克服する。
【発明を実施するための最良の形態】
【００１９】
以下、本発明の一実施例による光ディスク再生システム及び再生方法について説明する。
図２は、本発明の一実施例による光ディスク再生システムのブロック図である。
図２を参照すれば、本発明の一実施例による光ディスク再生システムは、スライス２１０、ＰＬＬ２２０、ラッチ回路２３０、３Ｔ補正回路２５０、及び復調器２４０を備える。
【００２０】
スライス２１０は光ディスクから光ピックアップされたアナログ信号ＲＦをサンプリングし、ＰＬＬ２２０はスライス２１０の出力信号ＥＦＭＩを受信してチャンネルクロックＰＬＣＫを発生させる。ラッチ回路２３０は、スライスの出力信号ＥＦＭＩ及びチャンネルクロックＰＬＣＫを受信してスライスの出力信号ＥＦＭＩをチャンネルクロックＰＬＣＫに合せて出力する。３Ｔ補正回路２５０は、ラッチ回路の出力信号ＥＦＭＮＲＺＩ、スライスの出力信号ＥＦＭＩ、及びＰＬＬの出力信号ＰＬＣＫを受信して３Ｔを補正した信号ＥＦＭＮＲＺＩ'を出力する。復調器２４０は、３Ｔ補正回路の出力信号ＥＦＭＮＲＺＩ'を復調する。
【００２１】
図３は、図２に示した３Ｔ補正回路の内部ブロック図である。
図３を参照すれば、３Ｔ補正回路は拡張保存装置２５１、幅測定機２５３、位相検出器２５５、及び拡張決定器２５７を備える。
【００２２】
拡張保存装置２５１は、ラッチ回路の出力信号ＥＦＭＮＲＺＩをＰＬＬの出力信号ＰＬＣＫによって所定の保存装置（図示せず）に保存して保存装置の保存状態を出力Ｓし、保存されたデータを拡張決定器２５７の出力信号Ｄによって出力する。ここで、この所定の保存装置はシフトレジスタを使用することが望ましい。
幅測定機２５３は、拡張保存装置２５１から保存状態を受信Ｓして２Ｔ／１Ｔを検出し、その前後信号の幅を測定し、その測定された結果によってＣＬ、ＰＬ、及びＮＬをそれぞれ出力する。
【００２３】
位相検出器２５５は、ＰＬＬの出力信号ＰＬＣＫとスライスの出力信号ＥＦＭＩとの間の位相差を測定し、測定された結果によってＬＰ、ＴＰ及びＰＰをそれぞれ出力する。拡張決定器２５７は、ＣＬ、ＰＬ、ＮＬ、ＬＰ、ＴＰ、及びＰＰを受信して補正如何及び補正方向を決定し、これを実行させる信号Ｄを拡張保存装置２５１に出力する。
【００２４】
ここで、図２及び図３で用いられた信号ＣＬ、ＰＬ、ＮＬ、ＬＰ、ＴＰ、及びＰＰについて図４を参照して説明する。
図４は、図３に示した３Ｔ補正回路の内部信号に対するタイミングダイアグラムである。
図４を参照すれば、位相検出器２５５はスライスの出力信号ＥＦＭＩとＰＬＬの出力信号ＰＬＣＫとの間の位相差をＬＰＥ（Ｌｅａｄｉｎｇ Ｐｈａｓｅ Ｅｒｒｏｒ）及びＴＰＥ（Ｔｒａｉｌｉｎｇ Ｐｈａｓｅ Ｅｒｒｏｒ）に区分し、２つの場合（ｆａｓｔ及びｓｌｏｗ）のみで表示する。
【００２５】
すなわち、ＰＬＬ ２２０がスライスの出力信号ＥＦＭＩのエッジでのＰＬＬの出力信号ＰＬＣＫのロー状態をロッキングする時、スライスの出力信号ＥＦＭＩのエッジでのＰＬＬの出力信号ＰＬＣＫが論理ハイ“１”状態であればスライスの出力信号ＥＦＭＩがＰＬＬの出力信号ＰＬＣＫに比べて先立つのでｆａｓｔとなり、反対の場合はｓｌｏｗとなる。前記の条件を基準として判断してみれば、図４でＰＰ＝ｓｌｏｗ、ＬＰ＝ｆａｓｔ、そしてＴＰ＝ｓｌｏｗ状態になることが分かる。
【００２６】
図４を参照すれば、ＰＬ＝４Ｔ、ＣＬ＝２Ｔ及びＮＬ＞３ＴとしてＣＬ＝２Ｔになり、スライス２１０の出力信号ＥＦＭＩ及びＰＬＬ２２０の出力信号ＰＬＣＫによってラッチ回路２３０から出力される信号ＥＦＭＮＲＺＩにエラーが発生したことが分かる。これはスライスの出力信号ＥＦＭＩの幅が３Ｔより狭い場合に発生するが、図４を参照すればＰＬＬの出力信号ＰＬＣＫ Ｐ４ないしＰ６に該当するスライスの出力信号ＥＲＭＩが２Ｔよりは大きいが３Ｔよりは小さいことが分かる。ここで、ＴはＰＬＬ ２２０の出力信号ＰＬＣＫの一周期の時間幅を意味する。このような場合、拡張決定器２５７が所定の条件（後述する）を考慮して補正しなければならないと判断すれば、順方向拡張、逆方向拡張または両方向拡張を通じてエラーを補正する。
【００２７】
図５は、図３に示した３Ｔ補正回路でＬＰ＝ｆａｓｔ＆ＴＰ＝ｆａｓｔである時のタイミングダイアグラムであり、図６は図３に示した３Ｔ補正回路でＬＰ＝ｓｌｏｗ＆ＴＰ＝ｓｌｏｗである時のタイミングダイアグラムである。
【００２８】
図５及び図６を参照すれば、スライスの出力信号ＥＦＭＩの両方向エッジ瞬間においてＰＬＬの出力信号ＰＬＣＫの論理状態により、エラー発生確率を比較することができる。３Ｔが２Ｔに減る時、両側エッジが全て減る方向に進行するという過程が自然であるので、リーディングエッジ（ｌｅａｄｉｎｇ ｅｄｇｅ）がＰＬＬの出力信号ＰＬＣＫのライジングエッジ（ｒｉｓｉｎｇ ｅｄｇｅ）を超えた場合Ｆ１と、トレーリングエッジ（ｔｒａｉｌｉｎｇ ｅｄｇｅ）がＰＬＬの出力信号ＰＬＣＫのライジングエッジを超えた場合Ｂ１との確率を比較しなければならない。
【００２９】
図５を参照すれば、ＬＰ及びＴＰが全てｆａｓｔである時、順方向で１Ｔが減ったとすればＦ１は０．５Ｔ〜１Ｔの位相エラーが発生した場合であり、逆方向で１Ｔが減ったとすればＢ１は１Ｔ〜１．５Ｔの位相エラーが発生した場合であるので、確率的にみるとＦ１の発生がＢ１に比べて頻度数が高いと判断される。したがって、これを補正するために順方向拡張を選択する。
【００３０】
図６を参照すれば、ＬＰ及びＴＰが全てｓｌｏｗである時、すなわち逆方向で１Ｔが減ったとすればＢ２は０．５Ｔ〜１Ｔの位相エラーが発生した場合であり、順方向で１Ｔが減ったとすればＦ２は１Ｔ〜１．５Ｔの位相エラーが発生した場合であるので、確率的にみるとＢ２の発生がＦ２に比べて頻度数が高いと判断される。したがって、これを補正するために逆方向拡張を選択する。
【００３１】
図５及び図６の場合はＬＰ及びＴＰが全てｆａｓｔまたはｓｌｏｗである場合であるが、ＬＰまたはＴＰが相異なる値を有する場合にはＰＰがｓｌｏｗであればリーディングエッジがＰＬＬの出力信号ＰＬＣＫのライジングエッジを超えた確率が高く、逆にｆａｓｔであればトレーリングエッジがＰＬＬの出力信号ＰＬＣＫのライジングエッジを超えた確率が高いため、それぞれ順方向拡張及び逆方向拡張を選択するようになる。
【００３２】
図７は、図３に示した拡張決定器の決定経路についての信号フローチャートである。
図７を参照すれば、拡張決定器での決定経路は、検出段階（図示せず）、第１判断段階７１０、第１決定段階７２０、第２決定段階７３０、補正しない場合７４０、両方向拡張補正を行う場合７５０、順方向拡張補正を行う場合７６０、及び逆方向拡張補正を行う場合７７０に区分される。
【００３３】
検出段階は、ラッチ回路２３０の出力信号ＥＦＭＮＲＺＩの所定区間での周期ＣＬ、周期ＣＬを有する出力信号の直前信号の周期ＰＬ、及び周期ＣＬを有する出力信号の直後信号の周期ＮＬをそれぞれ検出し、ラッチ回路２３０の出力信号ＥＦＭＮＲＺＩをイネーブルさせる瞬間のＰＬＬの出力信号ＰＬＣＫとスライス出力信号ＥＦＭＩとの間の位相差であるＬＰ、周期ＣＬを有する出力信号の直後信号をイネーブルさせる瞬間のＰＬＬの出力信号ＰＬＣＫとスライス出力信号ＥＦＭＩとの間の位相差であるＴＰ、及び前記周期ＣＬを有する出力信号の直前の信号をイネーブルさせる瞬間の前記ＰＬＬの出力信号ＰＬＣＫと前記スライス出力信号ＥＦＭＩとの間の位相差であるＰＰをそれぞれ検出する。
【００３４】
第１判断段階７１０は検出段階で検出された信号の周期ＣＬが２Ｔより少ないか否かを判断する。この時、検出された信号の周期ＣＬが３Ｔであれば正常な動作を行っている場合であって補正を考慮する必要がないので、検出された信号の周期ＣＬが３Ｔより小さい場合のみ考慮すればよい。
【００３５】
第１決定段階７２０では、検出された信号の周期ＣＬが１Ｔではない場合には補正しないと判断（７２１：第１Ａ判断段階）し、検出された信号の周期ＣＬが１Ｔである場合には、再びＮＬ及びＰＬが全て３Ｔより大きい場合には両方向補正を行い、片方でも小さいか同じである場合には補正を行わない（７２３：第２Ａ判断段階）。
【００３６】
第２決定段階７３０は検出された信号の周期ＣＬが２Ｔの場合であるが、ＮＬ及びＰＬが全て３Ｔより小さいか同じ場合（７３１）であれば補正しないと決定（７４０）し、ＰＬが３Ｔより大きくてＮＬが３Ｔより小さい場合（７３２）には順方向拡張を決定（７６０）し、ＰＬが３Ｔより小さくＮＬが３Ｔより大きい場合（７３３）には逆方向拡張を決定７７０する。
【００３７】
また第２決定段階７３０は、ＰＬ及びＮＬが全て３Ｔより大きい場合にＬＰ及びＴＰが全て所定の第１位相差値を有するか（７３４）、ＰＰが所定の第２位相差値を有する場合（７３６）には順方向拡張（７６０）を決定する。ＰＬ及びＮＬが全て３Ｔより大きい場合にＬＰ及びＴＰが全て所定の第２位相差値を有するか（７３５）、ＰＰが所定の第１位相差値を有する場合（７３６）には逆方向拡張を決定（７７０）する。
【００３８】
ここで第１位相差値は、スライス出力信号のエッジでＰＬＬの出力信号が論理ハイ状態を示す値になり、第２位相差値は、スライス出力信号のエッジでＰＬＬの出力信号が論理ロー状態を示す値になることが望ましい。
図３に示したブロック図や図７に示した信号フローチャートは１つの例示にすぎず、新たな判断条件が組み合わせられた他のブロック図及び信号フローチャートが可能である。
【００３９】
以上のように図面と明細書とで望ましい実施例が開示された。ここで特定の用語が用いられたが、これは単に本発明を説明するための目的で用いられたものであって意味限定や特許請求の範囲に記載された本発明の範囲を制限するために用いられたものではない。したがって、当業者であればこれより多様な変形及び均等な他の実施例が可能であるという点を理解できるであろう。よって、本発明の真の技術的な保護範囲は特許請求の範囲の技術的思想により決まらなければならない。
【産業上の利用可能性】
【００４０】
本発明は再生信号のエラーを補正する方法及びこれを実現する回路に適用することができる。
【図面の簡単な説明】
【００４１】
【図１】従来の技術による光ディスク再生システムのブロック図である。
【図２】本発明の一実施例による光ディスク再生システムのブロック図である。
【図３】図２に示した３Ｔ補正回路の内部ブロック図である。
【図４】図３に示した３Ｔ補正回路の内部信号についてのタイミングダイアグラムである。
【図５】図３に示した３Ｔ補正回路でＬＰ＝ｆａｓｔ＆ＴＰ＝ｆａｓｔである時のタイミングダイアグラムである。
【図６】図３に示した３Ｔ補正回路でＬＰ＝ｓｌｏｗ＆ＴＰ＝ｓｌｏｗである時のタイミングダイアグラムである。
【図７】図３に示した拡張決定器の決定経路についての信号フローチャートである。
【符号の説明】
【００４２】
２１０    スライス
２２０    ＰＬＬ
２３０    ラッチ回路
２４０    復調器
２５０    ３Ｔ補正回路
ＥＦＭＩ  スライス出力信号
ＥＦＭＮＲＺＩ    ラッチ回路の出力信号
ＥＦＭＮＲＺＩ'  ３Ｔ補正回路の出力信号
ＰＬＣＫ    ＰＬＬの出力信号
ＲＦ    光ピックアップされた信号
【図１】
0004713872.tif 000002
【図２】
0004713872.tif 000003
【図３】
0004713872.tif 000004
【図４】
0004713872.tif 000005
【図５】
0004713872.tif 000006
【図６】
0004713872.tif 000007
【図７】
0004713872.tif 000008